(57)【特許請求の範囲】
【請求項１】
車体における車幅方向にわたって延在し、前記車体に取り付けられるルーフを補強する補強部材と、
前記車体に設けられたセンターピラーの上部と前記補強部材とを連結する連結部材と、
前記補強部材および前記連結部材を車幅方向に離間した複数箇所で、前記補強部材と前記連結部材とを接合する複数の接合部が形成されており、
前記補強部材と前記連結部材とのそれぞれにおける前記複数の接合部の間に、前記車体に対して側突荷重が入力された場合に、前記補強部材と前記連結部材との間で荷重を伝達する補強部材荷重伝達部および連結部材荷重伝達部が形成され、
前記補強部材荷重伝達部が、前記補強部材に対して、前記補強部材の延在方向に対して交差する方向に沿って形成された補強部材ビードであり、
前記連結部材荷重伝達部が、前記連結部材に対して、前記補強部材に形成された前記補強部材ビードに重畳する形で形成された連結部材ビードであることを特徴とする車体の上部構造。
【請求項２】
前記補強部材荷重伝達部および前記連結部材荷重伝達部は、それぞれ前記車体の車幅方向のインナ側とアウタ側とのそれぞれに荷重伝達部が形成されている請求項１に記載の車体の上部構造。
【請求項３】
前記補強部材ビードおよび前記連結部材ビードが、それぞれ下側に凸となる下ビードである請求項２に記載の車体の上部構造。
【請求項４】
前記複数の接合部では、前記補強部材と前記連結部材とがボルト接合されている請求項１〜請求項３のうちのいずれか１項に記載の車体の上部構造。
【請求項５】
前記複数の接合部のうち、前記補強部材荷重伝達部よりも車両のインナ側に配置されたインナ側接合部と、前記補強部材荷重伝達部よりも車両のアウタ側に配置されたアウタ側接合部とが、前記補強部材荷重伝達部における中心点を中心として、前後に異なる側に配置されている請求項１〜請求項４のうちのいずれか１項に記載の車体の上部構造。
【発明の詳細な説明】
【技術分野】
【０００１】
本発明は、車体の上部構造に係り、特に、車両の側突時に、側突荷重をセンターピラーからルーフリインホースに好適に伝達することができる車体の下部構造に関する。
【背景技術】
【０００２】
車両における車体側部には、一般に、車体の高さ方向に延在するセンターピラーが設けられている。また、車体の天井部には、ルーフが設けられるとともに、ルーフを補強するルーフリインホースが設けられている。このルーフリインホースは、ガセットを介してセンターピラーに連結されている。
【０００３】
この車両に側突が生じると、センターピラーに衝突荷重が入力され、センターピラーが変形するとともに、センターピラーに連結されたルーフリインホースやロッカなどの骨格部材に荷重を伝達して衝突荷重を吸収する。また、このうち、ルーフリインホースに対しては、ガセットを介して荷重が伝達される。
【０００４】
このような車体の上部構造として、従来、センターピラーとルーフサイドレインフォースおよびルーフサイドレインフォースとルーフボウをそれぞれボルトナットによって連結する自動車のルーフボウ取付構造が知られている（たとえば、特許文献１参照）。この自動車のルーフボウ取付構造においては、ルーフサイドレインフォースとルーフボウとの間において、ボルトナットを介した荷重伝達を行っている。
【先行技術文献】
【特許文献】
【０００５】
【特許文献１】特開平１０−１６７１１４号公報
【発明の概要】
【発明が解決しようとする課題】
【０００６】
しかし、上記特許文献１に開示された自動車のルーフボウ取付構造においては、センターピラーからルーフボウに対する荷重の伝達について、ルーフリインホースを介したボルトナットの結合に頼ったものとなっている。このため、たとえばルーフボウ（補強部材）がそのセンターピラーとの取付部位の近傍において、車両前後方向に沿って屈曲してしまった場合などに、荷重の伝達を確実に行うことができなくなる可能性があるという問題があった。
【０００７】
そこで、本発明の課題は、車両の側突荷重をセンターピラーから補強部材に対して確実に伝達することができる車両の上部構造を提供することにある。
【課題を解決するための手段】
【０００８】
上記課題を解決した本発明に係る車体の上部構造は車体における車幅方向にわたって延在し、車体に取り付けられるルーフを補強する補強部材と、車体に設けられたセンターピラーの上部と補強部材とを連結する連結部材と、補強部材および連結部材を車幅方向に離間した複数箇所で、補強部材と連結部材とを接合する複数の接合部が形成されており、補強部材と連結部材とのそれぞれにおける複数の接合部の間に、車体に対して側突荷重が入力された場合に、補強部材と連結部材との間で荷重を伝達する補強部材荷重伝達部および連結部材荷重伝達部が形成され、補強部材荷重伝達部が、補強部材に対して、補強部材の延在方向に対して交差する方向に沿って形成された補強部材ビードであり、連結部材荷重伝達部が、連結部材に対して、補強部材に形成された補強部材ビードに重畳する形で形成された連結部材ビードであることを特徴とする。
【０００９】
本発明に係る車体の上部構造においては、補強部材と連結部材とのそれぞれにおける複数の接合部の間に、車体に対して側突荷重が入力された場合に、補強部材と連結部材との間で荷重を伝達する補強部材荷重伝達部および連結部材荷重伝達部が形成されている。このため、車両の側突荷重をセンターピラーから補強部材に対して確実に伝達することができる。また、荷重伝達部がビードとすることにより、荷重伝達部を容易に形成することができる。
【００１０】
また、補強部材荷重伝達部および連結部材荷重伝達部は、それぞれ車体の車幅方向のインナ側とアウタ側とのそれぞれに荷重伝達部が形成されているようにすることができる。
【００１１】
このように、補強部材荷重伝達部および連結部材荷重伝達部が、それぞれ車体の車幅方向のインナ側とアウタ側とのそれぞれに荷重伝達部が形成されているため、より確実に車両の側突荷重をセンターピラーから補強部材に対して伝達することができる。
【００１２】
さらに、補強部材荷重伝達部が、補強部材に対して、補強部材の延在方向に対して交差する方向に沿って形成された補強部材ビードであり、連結部材荷重伝達部が、連結部材に対して、補強部材に形成された補強部材ビードに重畳する形で形成された連結部材ビードであるようにすることができる。
【００１３】
このように、荷重伝達部がビードとすることにより、荷重伝達部を容易に形成することができる。
【００１４】
また、補強部材ビードおよび連結部材ビードが、それぞれ下側に凸となる下ビードであるようにすることができる。
【００１５】
このように、ビードが下ビードであることにより、車両の天井方向にビードを突出させないようにすることができ、ビードの車体の内側に好適に収めることができる。
【００１６】
さらに、複数の接合部では、補強部材と連結部材とがボルト接合されているようにすることができる。
【００１７】
このように、補強部材と連結部材とがボルト接合されていることにより、センターピラーから伝達される荷重を、ボルトを介して補強部材に伝達することができる。したがって、さらに確実に車両の側突荷重をセンターピラーから補強部材に対して伝達することができる。
【００１８】
そして、複数の接合部のうち、補強部材荷重伝達部よりも車両のインナ側に配置されたインナ側接合部と、補強部材荷重伝達部よりも車両のアウタ側に配置されたアウタ側接合部とが、補強部材荷重伝達部における中心点を中心として、前後に異なる側に配置されているようにすることができる。
【００１９】
このように、インナ側接合部とアウタ側接合部とが、補強部材荷重伝達部における中心点を中心として、前後に異なる側に配置されていることにより、少ない部品点数で補強部材と連結部材とを接合することができるとともに、確実に荷重伝達を行うことができる。
【発明の効果】
【００２０】
本発明に係る車体の上部構造によれば、車両の側突荷重をセンターピラーから補強部材に対して確実に伝達することができる。
【図面の簡単な説明】
【００２１】
【図１】本発明の実施形態に係る車体の上部構造の要部斜視図である。
【図２】本発明の実施形態に係る車体の上部構造の要部拡大斜視図である。
【図３】図２のIII-III線断面図である。
【図４】車体の上部構造における車両の側突時の変形状態を示す断面図であり、（ａ）は、側突前の状態を示し、（ｂ）は側突後の状態を示す。
【発明を実施するための形態】
【００２２】
以下、添付図面を参照して本発明の実施形態について説明する。なお、図面の説明において同一の要素には同一の符号を付し、重複する説明を省略する。また、図示の便宜上、図面の寸法比率は説明のものと必ずしも一致しない。
【００２３】
図１は、本発明の実施形態に係る車体の上部構造の斜視図、図２はその要部拡大斜視図、図３は、図２のIII-III線断面図である。図１に示すように、本実施形態に係る車体の上部構造は、本発明の補強部材であるルーフリインホース１を備えている。ルーフリインホース１は、長尺状をなし、車両の上部であって、車両の前後方向略中央位置に車両の車幅方向に沿って配設されて、車体における車幅方向にわたって延在している。
【００２４】
また、ルーフリインホース１は、車両の天井に設けられる図示しないルーフパネルを支えることによって車体に取り付けられるルーフを補強している。さらに、ルーフリインホース１におけるアウタ側端部には、ルーフリインホース１の延在方向に対して交差する方向である車両前後方向に沿って延在する上側ビード部１１が形成されている。上側ビード部１１は、下側に凸となる下ビードとして形成されている。
【００２５】
また、車体の上部構造は、センターピラー２を備えている。センターピラー２は、長尺状をなし、車両の側方であって、車両の前後方向略中央位置に高さ方向に沿って配設されている。センターピラー２の上部には、ルーフサイドレール３および本発明の連結部材であるルーフガセット４が取り付けられている。
【００２６】
ルーフサイドレール３は、長尺状をなしており、車両の側方上部において、車両の前後方向に沿って延在している。その長手方向途中位置において、センターピラー２の上端部が溶接固定されている。また、センターピラー２が溶接固定された位置に対する前後方向に見て同じ位置に、ルーフリインホース１の端部が溶接されて固定されている。
【００２７】
また、ルーフガセット４は、車両前方から見て、車両のアウタ側に行くにしたがって下降するように湾曲する湾曲形状をなしている、ルーフガセット４の車幅方向アウタ側端部は、センターピラー２に対して図示しないボルトによって接合されている。一方、ルーフガセット４の車幅方向インナ側端部は、図２および図３に示すように、ルーフリインホース１に対して、車幅方向に離間した複数箇所で、ボルトＢ１，Ｂ２にナットＮ１，Ｎ２がねじ込まれて締結されて接合されている。ボルトＢ１，Ｂ２が設けられた位置が本発明の接合部となる。このうち、インナ側に配置された第１ボルトＢ１が設けられた位置がインナ側接合部となり、アウタ側似配置された第２ボルト２が設けられた位置がアウタ側接合部となる。こうして、ルーフガセット４は、センターピラー２の上部とルーフリインホース１とを連結している。
【００２８】
さらに、ルーフガセット４におけるインナ側端部には、車両の前後方向に沿って形成された下側ビード部４１が形成されている。下側ビード部４１は、ルーフリインホース１に形成された上側ビード部１１と重畳して配置されており、下側ビード部４１の上方における凹部に上側ビード部１１が挿入された形で配置されている。このように、上下側ビード１１，４１は、それぞれ下側に凸となる下ビードである。
【００２９】
上側ビード部１１および下側ビード部４１は、車両に側突が生じてセンターピラー２から側突荷重が入力された場合に、車幅方向に潰れて荷重を伝達する。上側ビード部１１は、インナ上側ビード部１１Ａと、アウタ上側ビード部１１Ｂとを備えており、下側ビード部４１は、インナ下側ビード部４１Ａと、アウタ下側ビード部４１Ｂとを備えている。上側ビード部１１は本発明の補強部材ビードおよび補強部材荷重伝達部となり、下側ビード部４１は本発明の連結部材ビードおよび連結部材荷重伝達部となる。
【００３０】
また、ルーフリインホース１とルーフガセット４とは、第１ボルトＢ１および第２ボルトＢ２によってボルト接合されている。このうち、第１ボルトＢ１は、上下側ビード部１１，４１が形成された位置よりもインナ側に配置され、第２ボルトＢ２は、上下側ビード部１１，４１が形成された位置よりもアウタ側に配置されている。
【００３１】
こうして、第１ボルトＢ１および第２ボルトＢ２は、それぞれ上下側ビード部１１，４１を挟んで車両のインナ側およびアウタ側に配置されている。さらに、車両のインナ側に配置された第１ボルトＢ１は、車両のアウタ側に配置された第２ボルトＢ２よりも車両後方位置に配置されている。したがって、第１ボルトＢ１と第２ボルトＢ２とは、上下側ビード部１１，４１における中心点を中心として、前後に異なる側に配置されている。
【００３２】
次に、本実施形態に係る車両の上部構造における作用について説明する。本実施形態に係る車体の上部構造においては、車両に側突が生じた際の側突荷重入力時には、側突荷重がまずセンターピラー２に入力される。続いて、車両の上部においては、ルーフガセット４を介してルーフリインホース１に側突荷重が伝達され、車両下部においては、図示しないロッカに荷重が伝達される。
【００３３】
ここで、センターピラー２とルーフリインホース１とは、ルーフガセット４を介して連結されている。また、図４（ａ）に示すように、ルーフリインホース１とルーフガセット４とには、それぞれ上下側ビード部１１，４１が重畳した状態で形成されている。このため、センターピラー２からルーフリインホース１に側突荷重が伝達された場合には、図４（ｂ）に示すように、上下側ビード部１１，４１におけるそれぞれの開口部が閉塞する。
【００３４】
上下側ビード部１１，４１におけるそれぞれの開口部が閉塞すると、センターピラー２から荷重が入力されると、アウタ下側ビード部４１Ｂとアウタ上側ビード部１１Ｂとが接触する。また、アウタ上側ビード部１１Ｂとインナ上側ビード部１１Ａとが接触し、インナ上側ビード部１１Ａとインナ下側ビード部４１Ａとが接触する。こうして、センターピラー２から入力された側突荷重が、上下側ビード部１１，４１において面接触しながら伝達されるので、側突荷重をルーフリインホース１に対して確実に伝達される。
【００３５】
また、ルーフリインホース１とルーフガセット４とを接合するにあたり、上下側ビード部１１，４１を挟んで車両のインナ側およびアウタ側に第１ボルトＢ１および第２ボルトＢ２を配置している。このため、センターピラー２から側突荷重が伝達されると、上下側ビード部１１，４１が潰れるとともに、上下側ビード部１１，４１を第１ボルトＢ１と第２ボルトＢ２によって挟み込みこととなる。
【００３６】
したがって、ルーフガセット４から伝達される側突荷重を第１ボルトＢ１と第２ボルトＢ２で上下側ビード部１１，４１を挟み込んで伝達することになる。よって、上下側ビード部１１，４１の変形による荷重の伝達漏れを防ぐことができ、ルーフガセット４からルーフリインホース１に対して荷重を効率よく伝達することができるので、車両の側突荷重をセンターピラーから補強部材に対して確実に伝達することができる。
【００３７】
さらに、ルーフガセット４からルーフリインホース１に対する荷重の伝達は、第１ボルトＢ１および第２ボルトＢ２を介しても行われる。このため、ルーフガセット４からルーフリインホース１に対する荷重の伝達は、上下側ビード１１，４１の経路と、ボルトＢ１，Ｂ２の経路の２つの経路となる。したがって、その分荷重の伝達を確実に行うことができる。
【００３８】
また、ルーフリインホース１とルーフガセット４との間で荷重伝達するための荷重伝達部として上下側ビード部１１，４１を用いており、上側ビード部１１と下側ビード部４１とが重畳する形で配置されている。このため、ルーフリインホース１に荷重を伝達する荷重伝達部を容易に形成することができる。
【００３９】
以上、本発明の好適な実施形態について説明したが、本発明は上記実施形態に限定されるものではない。たとえば、上記実施形態においては、上下側ビード部１１，４１を下側が凸となる下ビードとして形成しているが、上側が凸となる上ビードとすることもできる。ただし、下ビードとすることにより、車両のルーフ側にビードを突出させないようにすることができるので、車体に対する収まりがよくなる。また、補強部材荷重伝達部および連結部材荷重伝達部は、上下側ビード部１１，４１以外の他の態様とすることもできる。
【００４０】
また、上記実施形態においては、第１ボルトＢ１と第２ボルトＢ２によって上下側ビードを挟んでいるが、さらにボルトの数を増やして固定することもできる。ただし、第１ボルトＢ１と第２ボルトＢ２を上下側ビード部１１，４１における中心点を中心として、前後に異なる側に配置することにより、少ない部品点数でルーフリインホース１とルーフガセット４とを接合することができるとともに、確実に荷重伝達を行うことができる。
【００４１】
さらに、側突荷重入力時に、荷重伝達部とボルトとが干渉するように構成することもできる。荷重伝達部とボルトとが干渉することにより、一層荷重伝達効率を向上させることができる。また、接合部としては、ボルト・ナットによるものに限られず、たとえば溶接等とすることもできる。
【符号の説明】
【００４２】
１…ルーフリインホース、２…センターピラー、３…ルーフサイドレール、４…ルーフガセット、１１…上側ビード部、１１Ａ…インナ上側ビード部、１１Ｂ…アウタ上側ビード部、４１…下側ビード部、４１Ａ…インナ下側ビード部、４１Ｂ…アウタ下側ビード部、Ｂ１…第１ボルト、Ｂ２…第２ボルト、Ｎ１，Ｎ２…ナット。
【図１】
0005659998.tif 000002
【図２】
0005659998.tif 000003
【図３】
0005659998.tif 000004
【図４】
0005659998.tif 000005